(57)【要約】【課題】  ディスクトレイの駆動負荷に影響を及ぼすことなく、ディスクを高精度で位置合わせして配置し得るようにする。【解決手段】  ディスクトレイ１のガイド機構３を形成している前側位置規制片３２の対向間隔をガイド面３１の相互間隔よりも広くする。前側位置規制片３２の出幅を長くしてその対向間隔Ｗをガイド面３１の相互間隔Ｌに近付ける。ガイド面３１の前端側部位を逃がしガイド面３６とし、逃がしガイド面３６とガイド面３１とを呼込み案内面３７で連続させる。呼込み案内面３７の開き角度θを１１０°≦θ≦１３５°に定め、逃がしガイド面３６と前側位置規制片３２との間隔ａと、抜止め突起１３と筐体２の側壁内面２１との間隔ｂと、前側位置規制片３２とガイド面３１との間隔ｃとをａ＞ｂ＞ｃの関係に定める。【選択図】        図１
2005085419.tif 000002
【特許請求の範囲】
【請求項１】
筐体内部の定位置と筐体外部との間でディスクを搬入出するためのディスクトレイの筐体に対する出退移動を案内するガイド機構が、上記ディスクトレイに具備されたディスクトレイ出退方向に延びる左右の平行なガイド面と、上記筐体の前部の左右に対向配備されていて、ディスクを筐体の内部に搬入し終わったディスクトレイの左右の上記ガイド面を挟む両側に位置する突片状の一対の前側位置規制片とを有していると共に、一対の上記前側位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されているディスク装置において、
左右の上記ガイド面のそれぞれがまっすぐな平坦面でなり、かつ、上記筐体の後部の左右に、左右の上記ガイド面を挟む両側に位置してそれらのガイド面の相互間隔よりも広い間隔を隔てて対向する突片状の一対の後側位置規制片が対向配備されており、
一対の上記前側位置規制片のそれぞれの上記筐体からの出幅を長くすることによって、それらの前側位置規制片の対向間隔を、左右の上記ガイド面の相互間隔に近付けるか、又は、左右の上記ガイド面の相互間隔と同等にしてあると共に、
左右の上記ガイド面は上記ディスクトレイがディスクを筐体の内部に搬入し終わる直前の段階で上記前側位置規制片に対向する前端側部位が左右方向内側に偏った箇所に位置する逃がしガイド面として形成されていて、その逃がしガイド面の外側に上記前側位置規制片を収容可能な空所が形成され、かつ、その逃がしガイド面の後端と上記ガイド面の欠除端とに亘って、当該ディスクトレイがディスクを筐体の内部に搬入し終わるときに上記前側位置規制片を摺動させて上記ガイド面に乗り上がらせることのできる傾斜した呼込み案内面が連設され、
上記抜止め突起は、ディスクトレイが斜行してディスクを筐体の内部に搬入したときに、上記前側位置規制片が上記逃がしガイド面に当接するよりも先に上記筐体の側壁内面に当接して上記空所に入り込んだ前側位置規制片が上記逃がしガイド面に当接することを阻止し得る突出幅を備えていることを特徴とするディスク装置。
【請求項２】
筐体内部の定位置と筐体外部との間でディスクを搬入出するためのディスクトレイの筐体に対する出退移動を案内するガイド機構が、上記ディスクトレイに具備されたディスクトレイ出退方向に延びる左右の平行なガイド面と、少なくとも上記筐体の前部の左右に対向配備されていて、ディスクを筐体の内部に搬入し終わったディスクトレイの左右の上記ガイド面を挟む両側に位置する突片状の一対の位置規制片とを有していると共に、一対の上記位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されているディスク装置において、
一対の上記位置規制片のそれぞれの上記筐体からの出幅を長くすることによって、それらの位置規制片の対向間隔を、左右の上記ガイド面の相互間隔に近付けるか、又は、左右の上記ガイド面の相互間隔と同等にしたことを特徴とするディスク装置。
【請求項３】
左右の上記ガイド面は上記ディスクトレイがディスクを筐体の内部に搬入し終わる直前の段階で上記位置規制片に対向する前端側部位が欠除されていて、その欠除箇所が上記位置規制片を収容可能な空所として形成され、かつ、そのガイド面の欠除端に、当該ディスクトレイがディスクを筐体の内部に搬入し終わるときに上記位置規制片を摺動させて上記ガイド面に乗り上がらせることのできる傾斜した呼込み案内面が連設されている請求項２に記載したディスク装置。
【請求項４】
左右の上記ガイド面は上記ディスクトレイがディスクを筐体の内部に搬入し終わる直前の段階で上記位置規制片に対向する前端側部位が左右方向内側に偏った箇所に位置する逃がしガイド面として形成されていて、その逃がしガイド面の外側に上記位置規制片を収容可能な空所が形成され、かつ、その逃がしガイド面の後端と上記ガイド面の欠除端とに亘って、当該ディスクトレイがディスクを筐体の内部に搬入し終わるときに上記位置規制片を摺動させて上記ガイド面に乗り上がらせることのできる傾斜した呼込み案内面が連設されている請求項２に記載したディスク装置。
【請求項５】
上記抜止め突起は、ディスクトレイが斜行してディスクを筐体の内部に搬入したときに、上記位置規制片が上記逃がしガイド面に当接するよりも先に上記筐体の側壁内面に当接して上記空所に入り込んだ位置規制片が上記逃がしガイド面に当接することを阻止し得る突出幅を備えている請求項４に記載したディスク装置。
【請求項６】
筐体内部の定位置と筐体外部との間でディスクを搬入出するためのディスクトレイの筐体に対する出退移動を案内するガイド機構と、ディスクトレイの裏側の左右方向で偏った箇所の１箇所に設けられたラックに、筐体側に設置されたモータを駆動源とするピニオンを噛み合わせたディスク駆動機構とを備え、
上記ガイド機構が、上記ディスクトレイに具備されたディスクトレイ出退方向に延びる左右の平行なガイド面と、上記筐体の前部の左右に対向配備されていて、ディスクを筐体の内部に搬入し終わったディスクトレイの左右の上記ガイド面を挟む両側に位置する突片状の一対の前側位置規制片とを有していると共に、一対の上記前側位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されているディスク装置において、
左右の上記ガイド面のそれぞれがまっすぐな平坦面でなり、かつ、上記筐体の後部の左右に、左右の上記ガイド面を挟む両側に位置してそれらのガイド面の相互間隔よりも広い間隔を隔てて対向する突片状の一対の後側位置規制片が対向配備されており、
一対の上記前側位置規制片のそれぞれの上記筐体からの出幅を長くすることによって、それらの前側位置規制片の対向間隔を、左右の上記ガイド面の相互間隔に近付けるか、又は、左右の上記ガイド面の相互間隔と同等にしてあると共に、
左右の上記ガイド面は上記ディスクトレイがディスクを筐体の内部に搬入し終わる直前の段階で上記前側位置規制片に対向する前端側部位が左右方向内側に偏った箇所に位置する逃がしガイド面として形成されていて、その逃がしガイド面の外側に上記前側位置規制片を収容可能な空所が形成され、かつ、その逃がしガイド面の後端と上記ガイド面の欠除端とに亘って、当該ディスクトレイがディスクを筐体の内部に搬入し終わるときに上記前側位置規制片を摺動させて上記ガイド面に乗り上がらせることのできる傾斜した呼込み案内面が連設されていると共に、上記ガイド面に対する上記呼込み案内面の開き角度θの範囲が１１０°以上で１３５°以下に定められ、
ディスクを筐体の内部に搬入し終わったときのディスクトレイの上記逃がしガイド面と上記前側位置規制片との間隔ａと、そのときの上記抜止め突起と筐体の側壁内面との間隔ｂと、そのときの前側位置規制片と上記ガイド面との間隔ｃとをａ＞ｂ＞ｃの関係に定めることによって、ディスクトレイがディスクを筐体の内部に搬入したときに、上記前側位置規制片が上記逃がしガイド面に当接するよりも先に、上記抜止め突起が上記筐体の側壁内面に当接して上記空所に入り込んだ前側位置規制片が上記逃がしガイド面に当接することを阻止するようにしてあることを特徴とするディスク装置。
【発明の詳細な説明】
【技術分野】
【０００１】
本発明は、ディスク装置、特に、ディスクを筐体内部の定位置と筐体外部との間で搬入出するためのディスクトレイの出退移動が、ディスクトレイ側に設けられたガイド面と筐体側に設けられた位置規制片とを備えるガイド機構によって案内されるようになっているディスク装置に関する。
【背景技術】
【０００２】
図５はこの種のディスク装置の従来例を示した概略平面図である。このディスク装置において、ディスクトレイ１は、径小ディスクと径大ディスクとが択一的に載架されるディスク載架面１１，１２を備えていて、それらのいずれかに載架されたディスク（不図示）を、筐体２の内部の定位置と筐体２の外部との間で搬入出することに用いられる。また、ディスクトレイ１の筐体２に対する出退移動を案内するガイド機構３が備わっている。このガイド機構３は、ディスクトレイ１に具備されてそのディスクトレイ１の出退方向（前後方向）にまっすぐに延びる左右の平行な平坦面でなるガイド面３１，３１と、筐体２の前部で左右に対向配備された突片状の一対の前側位置規制片３２，３２と、筐体２の後部で左右に対向配備された突片状の一対の後側位置規制片３３，３３を備えている。また、図５のＶＩ−ＶＩ線に沿う部分を拡大して示した図６のように、トレイ１の裏側に具備された前後方向に延びるガイド溝部３４や、筐体２側に設けられて上記ガイド溝部３４に摺動自在に嵌合されたガイド突起３５も備えている。
【０００３】
そして、図７に拡大して示したように、左右一対の前側位置規制片３２，３２は、ディスクを筐体２の内部に搬入し終わったディスクトレイ１の左右のガイド面３１，３１を挟む両側に位置していて、それらの対向間隔Ｗ１が左右のガイド面３１，３１の相互間隔Ｌよりも少し広くなっている。また、図５に示した左右一対の後側位置規制片３３，３３も、前側位置規制片３２，３２と同様に形成されていて、左右の後側位置規制片３３，３３の対向間隔が上記した左右一対の前側位置規制片３２，３２の対向間隔Ｗ１と同等に定められていて、左右のガイド面３１，３１の相互間隔Ｌよりも少し広くなっている。左右の前側位置規制片３２，３２の対向間隔Ｗ１や左右の後側位置規制片３３，３３の対向間隔とディスクトレイ１の左右のガイド面３１，３１との相互間隔との関係が上記のように定められてガイド機構３によるガイド作用がルーズになっているのは、ディスク搬入出時のディスクトレイ１の駆動に要する負荷を抑えた上で、ディスクを搬入し終わった時点で、筐体２の内部の定位置に大きな位置ずれなくディスクを配置する必要があることによる。
【０００４】
さらに、図５又は図７に示したように、ディスクトレイ１の前端部の左右に抜止め突起１３，１３が備わっている。この抜止め突起１３は、筐体２の後端部に具備された左右のストッパ（不図示）に係合して筐体２からのディスクトレイ１の抜出しを防ぐ機能を備えていて、図例のディスク装置では、これらの抜止め突起１３，１３が、筐体２の左右の側壁内面２１，２１に各別に対向して配備されている。
【０００５】
一方、筐体２に対するディスクトレイ１の出退移動は、ディスクトレイ１の裏側に設けられたラック４１に、筐体２側に設置されたモータ（不図示）を駆動源とするピニオン４２を噛み合わせることによって行われるようになっている。
【０００６】
このような従来のディスク装置では、後退位置でディスクが載架されたディスクトレイ１がそのディスクを筐体２の内部の定位置に搬入することによってディスクローディングが行われた後、その定位置でディスクがディスクトレイ１から図示していないターンテーブルに受け渡され、そのターンテーブルと共に回転して図示していない光ピックアップによりディスク面が走査され、それによって記録又は再生が行われる。また、ターンテーブルからディスクトレイ１にディスクが受け渡された後、ディスクトレイ１がディスクを筐体の外部へ搬出することによってディスクアンローディングが行われる。
【０００７】
上記のようなローディングを行うディスクトレイ１にあっては、ディスクを筐体２の内部に搬入し終わった時点で、ディスクトレイ１に載架されたディスクがターンテーブルに対して一定の許容し得る範囲内で位置合わせされている必要があり、そのときの位置合わせ精度が低いと、ディスクがディスクトレイからターンテーブルにうまく受け渡されなくなってその後の記録又は再生の性能が低下したり記録又は再生が困難になったりするなどの様々な障害が起こることが判っている。
【０００８】
一方、先行例として、ディスクトレイの出退移動を案内するガイド機構を、筐体としてのベースシャーシに形成したガイド溝にディスクトレイの端部を摺動自在に嵌め込むことによって形成したものが知られていた（例えば、特許文献１参照）。また、ディスクトレイの出退移動を円滑に行わせるために、ディスクトレイを意図的に斜行させるようにしたものも知られていた（例えば、特許文献２参照）。
【０００９】
【特許文献１】特開平１１−３２８８０１号公報
【特許文献２】特開平５−２６６５６３号公報
【発明の開示】
【発明が解決しようとする課題】
【００１０】
ところが、図５〜図７に示した従来のディスク装置において、ガイド機構３によるガイド作用が上記したようにルーズになっていると、そのガイド機構３によって案内されるディスクトレイ１が斜行してディスクを筐体２に搬入するという事態が起こる。特に、図５のように、ピニオン４２の回転駆動力が、ディスクトレイ１の裏側の偏った箇所に設けられたラック４１の１箇所に伝達されるようになっている場合には、ガイド機構２によってルーズにガイドされたディスクトレイ１が左又は右にわずかに傾いたまま筐体２の内部に向かって移動（斜行）した後、ディスクを搬入し終わった時点でもディスクトレイ１が傾いたままになることがあり得る。このように、ディスクを搬入し終わった時点でもディスクトレイ１が傾いたままになっていると、上記したようにディスクトレイ１の駆動に要する負荷を抑えた上で、ディスクを搬入し終わった時点で、筐体２の内部の定位置に大きな位置ずれなくディスクを配置し得る程度にガイド機構３のルーズ度合が定められているとしても、何らかの原因でディスクの位置合わせ精度が低下し、上記したようにディスクがディスクトレイからターンテーブルにうまく受け渡されなくなるという事態が起こり得るという問題があった。
【００１１】
この点に関し、上掲の先行例は、ただ単にディスクトレイをガイド機構によってルーズに案内するという技術や、ディスクトレイを意図的に斜行させるという技術であるに過ぎないために上記問題の解決策にはなり得ない。
【００１２】
本発明は上記問題点に鑑みてなされたものであり、ディスクトレイの駆動に要する負荷に影響を及ぼすことなく、ディスクを搬入し終わった時点で、筐体の内部の定位置にディスクを高精度で位置合わせして配置し得るディスク装置を提供することを目的とする。
【課題を解決するための手段】
【００１３】
本発明に係るディスク装置は、筐体内部の定位置と筐体外部との間でディスクを搬入出するためのディスクトレイの筐体に対する出退移動を案内するガイド機構が、上記ディスクに具備されたディスク移動方向に延びる左右の平行なガイド面と、少なくとも上記筐体の前部の左右に対向配備されていて、ディスクを筐体に搬入し終わったディスクトレイの左右の上記ガイド面を挟む両側に位置する突片状の一対の位置規制片とを有していると共に、一対の上記位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されている。
【００１４】
そして、一対の上記位置規制片のそれぞれの上記筐体からの出幅を長くすることによって、それらの位置規制片の対向間隔を、左右の上記ガイド面の間隔に近付けるか、又は、左右の上記ガイド面の間隔と同等にした、というものである。
【００１５】
この構成を備えたディスク装置によれば、ディスクを筐体に搬入し終わったディスクトレイの左右の上記ガイド面が、それらのガイド面の相互間隔に近い対向間隔か、又は、それらのガイド面の相互間隔と同等の対向間隔で対向している突片状の一対の位置規制片により挾まれてディスクが筐体の内部の定位置に高精度で位置合わせされる。それにもかかわらず、位置規制片がガイド面と擦れ合うのは、ディスクトレイがディスクを筐体に搬入し終わる直前の段階だけであるので、ディスクトレイの駆動に要する負荷に影響が及ぶことははとんどない。
【００１６】
本発明では、左右の上記ガイド面は上記ディスクトレイがディスクを筐体に搬入し終わる直前の段階で上記位置規制片に対向する前端側部位が欠除されていて、その欠除箇所が上記位置規制片を収容可能な空所として形成され、かつ、そのガイド面の欠除端に、当該ディスクトレイがディスクを筐体に搬入し終わるときに上記位置規制片を摺動させて上記ガイド面に乗り上がらせることのできる傾斜した呼込み案内面が連設されている、という構成を採用することができる。これによれば、ディスクトレイがディスクを筐体に搬入し終わる直前の段階で位置規制片がガイド面と擦れ合うとしても、ガイド面の欠除された前端側部位では両者が擦れ合うことがないので、ディスクトレイの駆動に要する負荷に及ぶ影響がさらに軽減される。
【００１７】
これと同様の作用は次の構成、すなわち、左右の上記ガイド面は上記ディスクトレイがディスクを筐体に搬入し終わる直前の段階で上記位置規制片に対向する前端側部位が左右方向内側に偏った箇所に位置する逃がしガイド面として形成されていて、その逃がしガイド面の外側に上記位置規制片を収容可能な空所が形成され、かつ、その逃がしガイド面の後端と上記ガイド面の欠除端とに亘って、当該ディスクトレイがディスクを筐体に搬入し終わるときに上記位置規制片を摺動させて上記ガイド面に乗り上がらせることのできる傾斜した呼込み案内面が連設されている、という構成によっても奏される。そして、この場合において、上記抜止め突起は、ディスクトレイが斜行してディスクを筐体に搬入したときに、上記位置規制片が上記逃がしガイド面に当接するよりも先に上記筐体の側壁内面に当接して上記空所に入り込んだ位置規制片が上記逃がしガイド面に当接することを阻止し得る突出幅を備えている、という構成を付加しておくことが望ましい。こうしておくと、ディスクトレイが斜行しても、位置規制片が逃がしガイド面に当接して呼込み案内面を乗り越えられなくなるという事態やそれに伴うディスクトレイの駆動に要する付加の増大、さらには位置規制片が呼込み案内面を摺動してディスクトレイの斜行を修正するときのディスクトレイの揺れ動きが抑制されるようになり、そのことが、ディスクを筐体内部の定位置に高精度で位置合わせすることに役立つ。
【００１８】
本発明に係るディスク装置は、次の構成を採用することによっていっそう具体化される。すなわち、筐体内部の定位置と筐体外部との間でディスクを搬入出するためのディスクトレイの筐体に対する出退移動を案内するガイド機構が、上記ディスクに具備されたディスク移動方向に延びる左右の平行なガイド面と、上記筐体の前部の左右に対向配備されていて、ディスクを筐体に搬入し終わったディスクトレイの左右の上記ガイド面を挟む両側に位置する突片状の一対の前側位置規制片とを有していると共に、一対の上記前側位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されているディスク装置において、左右の上記ガイド面のそれぞれがまっすぐな平坦面でなり、かつ、上記筐体の後部の左右に、左右の上記ガイド面を挟む両側に位置してそれらのガイド面の相互間隔よりも広い間隔を隔てて対向する突片状の一対の後側位置規制片が対向配備されており、一対の上記前側位置規制片のそれぞれの上記筐体からの出幅を長くすることによって、それらの前側位置規制片の対向間隔を、左右の上記ガイド面の間隔に近付けるか、又は、左右の上記ガイド面の間隔と同等にしてあると共に、左右の上記ガイド面は上記ディスクトレイがディスクを筐体に搬入し終わる直前の段階で上記前側位置規制片に対向する前端側部位が左右方向内側に偏った箇所に位置する逃がしガイド面として形成されていて、その逃がしガイド面の外側に上記前側位置規制片を収容可能な空所が形成され、かつ、その逃がしガイド面の後端と上記ガイド面の欠除端とに亘って、当該ディスクトレイがディスクを筐体に搬入し終わるときに上記前側位置規制片を摺動させて上記ガイド面に乗り上がらせることのできる傾斜した呼込み案内面が連設され、上記抜止め突起は、ディスクトレイが斜行してディスクを筐体に搬入したときに、上記前側位置規制片が上記逃がしガイド面に当接するよりも先に上記筐体の側壁内面に当接して上記空所に入り込んだ前側位置規制片が上記逃がしガイド面に当接することを阻止し得る突出幅を備えている、という構成を採用することによっていっそう具体化される。
【００１９】
また、本発明では、さらに改良されたディスク装置として次の構成を採用することができる。すなわち、筐体内部の定位置と筐体外部との間でディスクを搬入出するためのディスクトレイの筐体に対する出退移動を案内するガイド機構と、ディスクトレイの裏側の左右方向で偏った箇所の１箇所に設けられたラックに、筐体側に設置されたモータを駆動源とするピニオンを噛み合わせたディスク駆動機構とを備え、上記ガイド機構が、上記ディスクトレイに具備されたディスクトレイ出退方向に延びる左右の平行なガイド面と、上記筐体の前部の左右に対向配備されていて、ディスクを筐体の内部に搬入し終わったディスクトレイの左右の上記ガイド面を挟む両側に位置する突片状の一対の前側位置規制片とを有していると共に、一対の上記前側位置規制片の対向間隔が左右の上記ガイド面の相互間隔よりも広くなっており、ディスクトレイの前端部の左右に、上記筐体の後端部に具備されたストッパに係合して筐体からのディスクトレイの抜出しを防ぐ抜止め突起が備わり、かつ、これらの抜止め突起が、上記筐体の左右の側壁内面に各別に対向して配備されているディスク装置において、左右の上記ガイド面のそれぞれがまっすぐな平坦面でなり、かつ、上記筐体の後部の左右に、左右の上記ガイド面を挟む両側に位置してそれらのガイド面の相互間隔よりも広い間隔を隔てて対向する突片状の一対の後側位置規制片が対向配備されており、一対の上記前側位置規制片のそれぞれの上記筐体からの出幅を長くすることによって、それらの前側位置規制片の対向間隔を、左右の上記ガイド面の相互間隔に近付けるか、又は、左右の上記ガイド面の相互間隔と同等にしてあると共に、左右の上記ガイド面は上記ディスクトレイがディスクを筐体の内部に搬入し終わる直前の段階で上記前側位置規制片に対向する前端側部位が左右方向内側に偏った箇所に位置する逃がしガイド面として形成されていて、その逃がしガイド面の外側に上記前側位置規制片を収容可能な空所が形成され、かつ、その逃がしガイド面の後端と上記ガイド面の欠除端とに亘って、当該ディスクトレイがディスクを筐体の内部に搬入し終わるときに上記前側位置規制片を摺動させて上記ガイド面に乗り上がらせることのできる傾斜した呼込み案内面が連設されていると共に、上記ガイド面に対する上記呼込み案内面の開き角度θの範囲が１１０°以上で１３５°以下に定められ、ディスクを筐体の内部に搬入し終わったときのディスクトレイの上記逃がしガイド面と上記前側位置規制片との間隔ａと、そのときの上記抜止め突起と筐体の側壁内面との間隔ｂと、そのときの前側位置規制片と上記ガイド面との間隔ｃとをａ＞ｂ＞ｃの関係に定めることによって、ディスクトレイがディスクを筐体の内部に搬入したときに、上記前側位置規制片が上記逃がしガイド面に当接するよりも先に、上記抜止め突起が上記筐体の側壁内面に当接して上記空所に入り込んだ前側位置規制片が上記逃がしガイド面に当接することを阻止するようにしてある、という構成を採用することができる。
【発明の効果】
【００２０】
以上のように、本発明に係るディスク装置によれば、ディスクトレイの駆動に要する負荷に影響を及ぼすことなく、ディスクを搬入し終わった時点で、筐体の内部の定位置にディスクを高精度で位置合わせして配置し得るようになるので、ディスクトレイの駆動用モータの負荷を増大させずに光ピックアップによるディスクの記録又は再生の性能を向上させることが可能になる。
【００２１】
特に、ガイド面に対する呼込み案内面の開き角度θの範囲を１１０°以上で１３５°以下に定め、ディスクを筐体２の内部に搬入し終わったときのディスクトレイ１の逃がしガイド面３６と前側位置規制片３２との間隔ａと、そのときの抜止め突起１３と筐体２の側壁内面２１との間隔ｂと、そのときの前側位置規制片３２とガイド面３１との間隔ｃとをａ＞ｂ＞ｃの関係に定めたものでは、ディスクトレイ１の駆動に要する負荷が可及的小さく抑えられてディスクトレイがきわめて円滑に動作し、ディスクのローディングやアンローディング、さらには、ディスクローディング後のディスクのターンテーブルへの受け渡し動作などの動作信頼性が向上するだけでなく、ディスクトレイがディスクを筐体の内部に搬入したときに、ディスクトレイの斜行状態が確実に修正されるようになるという特段の効果が得られる。
【発明を実施するための最良の形態】
【００２２】
図１は本発明に係るディスク装置の概略平面図、図２は同要部の拡大図である。この実施形態において、図１などで説明した従来のディスク装置と異なる点は、筐体２側の左右の前側位置規制片３２，３２の出幅を従来よりも長くしてある点、ディスクトレイ１側の左右のガイド面３１，３１に逃がしガイド面３６，３６を具時させた点、逃がしガイド面３５，３６とガイド面３１，３１とを呼込み案内面３７，３７で連設してある点などであり、その他の事項は、図１などで説明した従来のディスク装置の場合と同様である。以下、さらに詳しく説明する。
【００２３】
図２に示したように、この実施形態では、筐体２に設けられている左右一対の前側位置規制片３２，３２のそれぞれの上記筐体からの出幅を長くすることによって、それらの前側位置規制片３２，３２の対向間隔Ｗを、図７で説明したそれよりも短くしてディスクトレイ１側の左右のガイド面３１，３１の相互間隔Ｌに近付けてある。この対向間隔Ｗを左右のガイド面３１，３１の相互間隔Ｌと同等にすることも可能である。
【００２４】
また、左右のガイド面３１，３１はその前端側部位が左右方向内側に偏った箇所に位置する逃がしガイド面３６，３６として形成されていて、その逃がしガイド面３６，３６の外側に前側位置規制片３２，３２を収容可能な空所３８，３８が形成され、その逃がしガイド面３６，３６の後端とガイド面３１，３１の欠除端とに亘って傾斜した呼込み案内面３７，３７が連設されている。そして、逃がしガイド面３６，３６が形成されている箇所は、ディスクトレイ１がディスクを筐体２の内部に搬入し終わる直前の段階で前側位置規制片３２に対向するガイド面３１，３１の前端側部位である。また、上記呼込み案内面３７，３７は、ディスクトレイ１がディスクを筐体２の内部に搬入し終わるときに前側位置規制片３２，３２を摺動させてガイド面３１，３１に乗り上がらせることのできる傾斜面によって形成されている。
【００２５】
さらに、ディスクトレイ１の前端部の左右に設けられている抜止め突起１３，１３は、ディスクトレイ１が斜行してディスクを筐体２の内部に搬入したときに、前側位置規制片３２，３２が逃がしガイド面３６，３６に当接するよりも先に筐体２の側壁内面２１，２１に当接することによって、上記空所３８に入り込んだ前側位置規制片３２，３２が逃がしガイド面３６，３６に当接することを阻止し得る突出幅を備えている。具体的には、図２に示したように、筐体２の内部の定位置に高精度でディスクが位置合わせされているときのディスクトレイ１の逃がしガイド面３６と前側位置規制片３２との間隔ａよりも、そのときの抜止め突起１３と筐体２の側壁内面２１との間隔ｂを短くしてある。
【００２６】
この構成を備えたディスク装置によると、ディスクトレイ１がディスクを筐体２の内部に搬入し終わる直前の段階では、ディスクトレイ１が斜行していても位置規制片３２，３２がガイド面３１や逃がしガイド面３６と擦れ合うことはない。すなわち、図３のようにディスクトレイ１の斜行によって抜止め突起１３が筐体２の側壁内面２１と擦れ合うことによって、空所３８に入り込んだ前側位置規制片３２が逃がしガイド面３６に当接することを阻止するので、前側位置規制片３２が逃がしガイド面３６と擦れ合うことはなく、また、ガイド面３１は前側位置規制片３２に対向することがないので前側位置規制片３２がガイド面３１と擦れ合うことはない。したがって、ディスクトレイ１が斜行しても、位置規制片３２が逃がしガイド面３６に当接したり呼込み案内面３６を乗り越えられなくなるという事態やそれに伴うディスクトレイ１の駆動に要する付加の増大、さらには位置規制片３２が呼込み案内面３６を摺動してディスクトレイ１の斜行を修正するときのディスクトレイ１の揺れ動きが抑制されるようになり、そのことが、ディスクを筐体内部の定位置に高精度で位置合わせすることに役立つ。
【００２７】
そして、上記直前の段階からさらにディスクトレイ１が前進してディスクを筐体２の内部の定位置、すなわちターンテーブルとの対向箇所に搬入し終わるときには前側位置規制片３２が呼込み案内面３７と摺動し、ディスクを筐体２の内部の定位置すなわちターンテーブルとの対向箇所に搬入し終わったときには、図４のように前側位置規制片３２が呼込み案内面３７を乗り越えてガイド面３１に乗り上がる。その結果、ディスクトレイ１の左右のガイド面３１，３１が左右の前側位置規制片３２，３２により挾まれて斜行状態が修正されることになり、それによって、筐体２の内部の定位置（ターンテーブルに対する同心位置）に高精度でディスクが位置合わせされるようになる。この場合、ディスクトレイ１の駆動に要する負荷には、前側位置規制片３２が呼込み案内面３７を乗り越えてガイド面３１に乗り上がるときに影響が及ぶだけであるから、負荷の増大は無視できる程度に小さくなって、実質的には負荷の増大は起こらない。
【００２８】
この実施形態では、ガイド面３１の前端側部位を内側に逃がして逃がし案内面３６として形成してあるけれども、この点は、たとえば、逃がし案内面３６を省略することも可能である。すなわち、ディスクトレイ１がディスクを筐体２の内部に搬入し終わる直前の段階で位置規制片３２に対向するガイド面３１の前端側部位を欠除し、その欠除箇所に、位置規制片３２を収容可能な空所を形成し、ガイド面３１の欠除端に、ディスクトレイ１がディスクを筐体２の内部に搬入し終わるときに位置規制片３２を摺動させてガイド面３１に乗り上がらせることのできる傾斜した呼込み案内面３７を連設しておくことも可能である。
【００２９】
ところで、上記実施形態のディスク装置において、さらに鋭意研究を継続したところ、図２に示したガイド面３１に対する呼込み案内面３７の開き角度θの範囲が１１０°以上で１３５°以下に定められ、ディスクを筐体２の内部に搬入し終わったときのディスクトレイ１の逃がしガイド面３６と前側位置規制片３２との間隔ａと、そのときの抜止め突起１３と筐体２の側壁内面２１との間隔ｂと、そのときの前側位置規制片３２とガイド面３１との間隔ｃとをａ＞ｂ＞ｃの関係に定めておくと、ディスクトレイ１の駆動に要する負荷が可及的小さく抑えられてディスクトレイ１がきわめて円滑に動作し、ディスクのローディングやアンローディング、さらには、ディスクローディング後のディスクのターンテーブルへの受け渡し動作などの動作信頼性を向上させ得ることが判明した。
【００３０】
呼込み案内面の開き角度θの範囲を１１０°≦θ≦１３５°とすることが好ましい理由は次による。すなわち、開き角度θが１１０°よりも小さいと、呼込み案内面３７を前側位置規制片３２が乗り越えるときの負荷が大きくなりすぎたり、場合によっては呼込み案内面３７に前側位置規制片３２が係合して乗り越えが不可能になったりするおそれがある。これに対し、開き角度θが１３５°よりも大きいと、前側位置規制片３２が乗り越えるときの負荷が小さく抑えられるものの、乗り越えに要するディスクトレイ１の移動長さが長くなるので、それだけディスクを搬入出するためのディスクトレイ１の筐体に対する出退移動量が大きくなり、そのことが筐体２の大形化の原因になったりすることがある。開き角度θが１１０°≦θ≦１３５°に定められていると、呼込み案内面３７を前側位置規制片３２が乗り越えるときの負荷が無視できる程度に小さく抑えられ、しかも、乗り越えに要するディスクトレイ１の移動長さ、ひいてはディスクトレイ１の筐体２に対する出退移動量を小さく抑えて筐体２の大形化を回避することが可能になる。また、上記した間隔ａ，ｂ，ｃの関係をａ＞ｂ＞ｃに定めておくと、ディスクトレイ１がディスクを筐体２の内部に搬入したときに、前側位置規制片３２が逃がしガイド面３６に当接するよりも先に、抜止め突起１３が筐体２の側壁内面２１に確実に当接するようになり、そのために、空所３８に入り込んだ前側位置規制片３２が逃がしガイド面３７に当接することが確実に阻止されるようになる。その上、上記した間隔ａ，ｂよりもさらに間隔ｃを小さく定めてあるので、ディスクトレイ１がディスクを搬入し終わった時点では、抜止め突起１３が筐体２の側壁内面２１から離間し、ディスクトレイ１が左右のガイド面３１，３１が左右の前側位置規制片３２，３２により挾まれて斜行状態が確実に修正される。特に、θ＝１２２．０１°とし、ａ＝４．５ｍｍ、ｂ＝１ｍｍ、ｃ＝０．５ｍｍとした場合に、上記した負荷や斜行状態の修正などの面で最良の結果が得られた。なお、前側位置規制片３２，３２の対向間隔はＷ＝１１９．５ｍｍ、左右のガイド面３１，３１の相互間隔はＬ＝１１７．７６ｍｍであった。
【図面の簡単な説明】
【００３１】
【図１】本発明に係るディスク装置の概略平面図である。
【図２】同要部の拡大図である。
【図３】ディスクトレイが斜行している状態の説明図である。
【図４】ディスクトレイがディスクを搬入し終わった状態の説明図である。
【図５】従来のディスク装置の概略平面図である。
【図６】図５のＶＩ−ＶＩ線に沿う部分の拡大断面図である。
【図７】従来のディスク装置の要部の拡大図である。
【符号の説明】
【００３２】
１  ディスクトレイ
２  筐体
３  ガイド機構
１３  抜止め突起
２１  筐体の側壁内面
３１  ガイド面
３２  前側位置規制片
３３  後側位置規制片
３６  逃がしガイド面
３７  呼込み案内面
３８  空所
Ｗ，Ｗ１  位置規制片の対向間隔
Ｌ  ガイド面の相互間隔
θ  開き角度
ａ  逃がしガイド面と前側位置規制片との間隔
ｂ  抜止め突起と筐体の側壁内面との間隔
ｃ  前側位置規制片とガイド面との間隔
【図１】
2005085419.tif 000003
【図２】
2005085419.tif 000004
【図３】
2005085419.tif 000005
【図４】
2005085419.tif 000006
【図５】
2005085419.tif 000007
【図６】
2005085419.tif 000008
【図７】
2005085419.tif 000009